(57)【要約】【課題】コネクタ装置のシールド効果を向上させること、また、帰還電流のループを小さくして放射ノイズの影響を小さくすること。【解決手段】第１部材と、これと嵌合可能な第２部材を有する。第１部材は、第１ハウジングと、複数の第１信号端子と、第１シールド部材を有する。第１シールド部材は、複数の第１信号端子の配列方向に沿って幅広に形成され、複数の第１信号端子に隣接して配置されて複数の第１信号端子を外部から遮蔽する、第１シールド板を有する。第２部材は、第２ハウジングと、複数の第２信号端子と、第２シールド部材を有する。第２シールド部材は、複数の第２信号端子の配列方向に沿って幅広に形成され、複数の第２信号端子に隣接して配置されて複数の第２信号端子を外部から遮蔽する、第２シールド板を有する。【選択図】図１
2012054173.tif 000002
【特許請求の範囲】
【請求項１】
第１部材と、前記第１部材と嵌合可能な第２部材と、を有するコネクタ装置において、
前記第１部材は、
第１ハウジングと、
前記第１ハウジングに配列された複数の第１信号端子であって、それぞれの一端に、前記第１部材と前記第２部材の嵌合時に前記第２部材の対応端子の所定部分と接触し得る第１端子接触部を有する、前記複数の第１信号端子と、
前記第１ハウジングに設けられた第１シールド部材と、を有し、
前記第１シールド部材は、
前記複数の第１信号端子の配列方向に沿って幅広に形成され、前記複数の第１信号端子を外部から遮蔽する、第１シールド板と、
前記第１シールド板の一端を形成し、前記第１部材と前記第２部材の嵌合時に前記第２部材の対応部分と接触し得る、第１グランド接触部と、
前記第１シールド板の他端を形成する、複数の第１グランド固定部と、
を備え、
前記第２部材は、
第２ハウジングと、
前記第２ハウジングに配列された複数の第２信号端子であって、それぞれの一端に、前記第１部材と前記第２部材の嵌合時に前記第１部材の前記複数の第１信号端子の対応する前記第１端子接触部と接触し得る第２端子接触部を有する、前記複数の第２信号端子と、
前記第２ハウジングに設けられた第２シールド部材と、を有し、
前記第２シールド部材は、
前記複数の第２信号端子の配列方向に沿って幅広に形成され、前記複数の第２信号端子を外部から遮蔽する、第２シールド板と、
前記第２シールド板の一端を形成し、前記第１部材と前記第２部材の嵌合時に前記第１部材の対応する第１グランド接触部と接触し得る、第２グランド接触部と、
前記第２シールド板の他端を形成する、複数の第２グランド固定部と、
を有し、
前記複数の第１信号端子の複数の第１端子接触部と、前記第１シールド部材の複数の第１グランド接触部は、前記配列方向に沿って略等ピッチで配列されており、また、
前記複数の第２信号端子の複数の第２端子接触部と、前記第２シールド部材の複数の第２グランド接触部は、前記配列方向に沿って略等ピッチで配列されていることを特徴とするコネクタ装置。
【請求項２】
前記複数の第１信号端子は、それぞれの他端に、第１端子固定部を有し、前記複数の第１端子固定部と、前記第１シールド部材の複数の第１グランド固定部は、前記配列方向に沿って略等ピッチで配列されており、
また、
前記複数の第２信号端子は、それぞれの他端に、第２端子固定部を有し、前記複数の第２端子固定部と、前記第２シールド部材の複数の第２グランド固定部は、前記配列方向に沿って略等ピッチで配列されている請求項１に記載のコネクタ装置。
【請求項３】
前記第１シールド部材の複数の第１グランド接触部と、前記第１シールド部材の複数の第１グランド固定部は、前記嵌合方向に沿って対応的に設けられており、
また、
前記第２シールド部材の複数の第２グランド接触部と、前記第２シールド部材の複数の第２グランド固定部は、前記嵌合方向に沿って対応的に設けられている請求項１又は２に記載のコネクタ装置。
【請求項４】
前記第１グランド接触部同士の間に、２つの前記第１端子接触部が、及び、前記第１グランド固定部同士の間に、２つの前記第１端子固定部が、配置されており、また、
前記第２グランド接触部同士の間に、２つの前記第２端子接触部が、及び、前記第２グランド固定部同士の間に、２つの前記第２端子固定部が、配置されている請求項３に記載のコネクタ装置。
【請求項５】
前記第１部材の第１ハウジングに、前記複数の第１信号端子と前記第１シールド部材が上下段に一つずつ設けられており、
また、
前記第２部材の第２ハウジングに、前記複数の第２信号端子と前記第２シールド部材が上下段に一つずつ設けられている
請求項１乃至４のいずれかに記載のコネクタ装置。
【請求項６】
上段に含まれる前記第１グランド固定部及び前記第１グランド接触部と下段に含まれる前記第１グランド固定部及び前記第１グランド接触部、又は、上段に含まれる前記第２グランド固定部及び前記第２グランド接触部と下段に含まれる前記第２グランド固定部及び前記第２グランド接触部は、それぞれ、前記配列方向においてずらされている請求項５に記載のコネクタ装置。
【請求項７】
前記第２部材は、嵌合穴を形成し、前記第１部材は、前記嵌合穴に挿入される突出部を形成している請求項１乃至６のいずれかに記載のコネクタ装置。
【請求項８】
前記嵌合穴は、基板に対して垂直に設けられている請求項７に記載のコネクタ装置。
【請求項９】
前記嵌合穴は、基板に対して水平に設けられている請求項７に記載のコネクタ装置。
【請求項１０】
前記突出部は、基板に対して垂直に設けられている請求項７乃至９のいずれかに記載のコネクタ装置。
【請求項１１】
前記突出部は、基板とは独立した状態で設けられている請求項７乃至９のいずれかに記載のコネクタ装置。
【請求項１２】
前記第１部材の前記突出部に対して、前記第２部材が２つ固定される請求項１１に記載のコネクタ装置。
【請求項１３】
前記第１シールド部材の前記第１グランド接触部の先端は、前記第２部材側に向って略直線状に固定されている請求項１乃至１２のいずれかに記載のコネクタ装置。
【請求項１４】
前記第２シールド部材の前記第２グランド接触部の先端は、前記２シールド板との接続部付近に設けた曲部において略１８０°折り曲げられることにより前記第２部材側に向いた状態でバネ性を発揮する請求項１乃至１３のいずれかに記載のコネクタ装置。
【請求項１５】
前記第２シールド部材の前記第２グランド接触部の先端は、前記２シールド板との接続部付近に設けた曲部において略１８０°折り曲げられることにより前記第１部材側に向いた状態でバネ性を発揮する請求項１乃至１３のいずれかに記載のコネクタ装置。
【請求項１６】
第１部材と、前記第１部材と嵌合可能な第２部材と、を有するコネクタ装置において、
前記第１部材は、
第１ハウジングと、
前記第１ハウジングに前記嵌合方向に沿って並列に配列された複数の第１信号端子であって、それぞれの一端に、前記第１部材と前記第２部材の嵌合時に前記第２部材の対応端子の所定部分と接触し得る第１端子接触部を有する、前記複数の第１信号端子と、
前記第１ハウジングに設けられた第１シールド部材と、を有し、
前記第１シールド部材は、
前記複数の第１信号端子の配列方向に沿って幅広に形成され、前記複数の第１信号端子に隣接して配置されて前記複数の第１信号端子を外部から遮蔽する、第１シールド板と、
前記第１シールド板から前記嵌合方向に沿って並列に延びて前記第１シールド板の一端を形成し、前記第１部材と前記第２部材の嵌合時に前記第２部材の対応部分と接触し得る、第１グランド接触部と、
前記第１シールド板から前記嵌合方向に沿って並列に延びて前記第１シールド板の他端を形成する、複数の第１グランド固定部と、
を備え、
前記第２部材は、
第２ハウジングと、
前記第２ハウジングに前記嵌合方向に沿って並列に配列された複数の第２信号端子であって、それぞれの一端に、前記第１部材と前記第２部材の嵌合時に前記第１部材の前記複数の第１信号端子の対応する前記第１端子接触部と接触し得る第２端子接触部を有する、前記複数の第２信号端子と、
前記第２ハウジングに設けられた第２シールド部材と、を有し、
前記第２シールド部材は、
前記複数の第２信号端子の配列方向に沿って幅広に形成され、前記複数の第２信号端子に隣接して配置されて前記複数の第２信号端子を外部から遮蔽する、第２シールド板と、
前記第２シールド板から前記嵌合方向に沿って並列に延びて前記第２シールド板の一端を形成し、前記第１部材と前記第２部材の嵌合時に前記第１部材の対応する第１グランド接触部と接触し得る、第２グランド接触部と、
前記第２シールド板から前記嵌合方向に沿って並列に延びて前記第２シールド板の他端を形成する、複数の第２グランド固定部と、
を有することを特徴とするコネクタ装置。
【発明の詳細な説明】
【技術分野】
【０００１】
プラグコネクタと、これと嵌合可能なレセプタクルコネクタと、を有するコネクタ装置であって、これらのプラグコネクタとレセプタクルコネクタにシールド構造を設けたコネクタ装置に関する。
【背景技術】
【０００２】
図２３に、従来技術によるコネクタ装置の一例を示す。このコネクタ装置は、図中（ａ）に示したプラグコネクタ１２１と、図中（ｂ）に示したレセプタクルコネクタ１１１の対から成る。
【０００３】
プラグコネクタ１２１には、絶縁性のハウジング１２３と、このハウジング１２３に固定された複数の信号端子１２５が含まれる。ハウジング１２３の一部は、外部に突出し、この突出部の側面に複数の信号端子１２５が露出した状態で配列されている。
【０００４】
レセプタクルコネクタ１１１には、絶縁性のハウジング１１３と、このハウジング１１３に固定された複数の信号端子１１５、更に、少なくともハウジング１１３の外部を取り巻くシールド部材１１７が含まれる。ハウジング１１３の中央には、プラグコネクタ１２１の突出部が挿入される嵌合穴１１８が設けられており、シールド部材１１７の一部は、この嵌合穴１１８の内部に延長部１１６として延びている。
【０００５】
レセプタクルコネクタ１１１の嵌合穴１１８に、プラグコネクタ１２１の突出部を挿入することにより、両者が嵌合されたとき、レセプタクルコネクタ１１１側の信号端子１１５と、プラグコネクタ１２１の信号端子１２５が接触し、信号伝達が行われる。更に、このとき、レセプタクルコネクタ１１１側に設けられたシールド部材１１７により、レセプタクルコネクタ１１１とプラグコネクタ１２１の全体が、シールドされるようになっている。
【先行技術文献】
【特許文献】
【０００６】
【特許文献１】特開２００５−７１７６９号公報
【発明の概要】
【発明が解決しようとする課題】
【０００７】
上記の従来構成においては、シールド部材１１７が、レセプタクルコネクタ１１１側にのみ設けられていることから、レセプタクルコネクタ１１１とプラグコネクタ１２１の嵌合時において、シールド効果を十分に得ることができないという問題があった。
【０００８】
また、よく知られているように、信号電流が流れれば、これに対応する帰還電流（リターン電流）が流れるが、上記の従来構成では、信号電流と帰還電流によって形成される電流ループが大きく、この結果、大きな放射ノイズが生じる危険が高かった。
【０００９】
本発明はこれら従来技術における問題点を解決するためになされたものであり、シールド効果を向上させること、また、帰還電流のループを小さくして放射ノイズの影響を小さくすることを課題とする。
【発明の効果】
【００１０】
本発明によれば、シールド効果を向上させ、また、帰還電流のループを小さくして放射ノイズの影響を小さくすることができる。
【課題を解決するための手段】
【００１１】
本発明は、第１部材と、前記第１部材と嵌合可能な第２部材と、を有するコネクタ装置において、前記第１部材は、第１ハウジングと、前記第１ハウジングに配列された複数の第１信号端子であって、それぞれの一端に、前記第１部材と前記第２部材の嵌合時に前記第２部材の対応端子の所定部分と接触し得る第１端子接触部を有する、前記複数の第１信号端子と、前記第１ハウジングに設けられた第１シールド部材と、を有し、前記第１シールド部材は、前記複数の第１信号端子の配列方向に沿って幅広に形成され、前記複数の第１信号端子を外部から遮蔽する、第１シールド板と、前記第１シールド板の一端を形成し、前記第１部材と前記第２部材の嵌合時に前記第２部材の対応部分と接触し得る、第１グランド接触部と、前記第１シールド板の他端を形成する、複数の第１グランド固定部と、を備え、前記第２部材は、第２ハウジングと、前記第２ハウジングに配列された複数の第２信号端子であって、それぞれの一端に、前記第１部材と前記第２部材の嵌合時に前記第１部材の前記複数の第１信号端子の対応する前記第１端子接触部と接触し得る第２端子接触部を有する、前記複数の第２信号端子と、前記第２ハウジングに設けられた第２シールド部材と、を有し、前記第２シールド部材は、前記複数の第２信号端子の配列方向に沿って幅広に形成され、前記複数の第２信号端子を外部から遮蔽する、第２シールド板と、前記第２シールド板の一端を形成し、前記第１部材と前記第２部材の嵌合時に前記第１部材の対応する第１グランド接触部と接触し得る、第２グランド接触部と、前記第２シールド板の他端を形成する、複数の第２グランド固定部と、を有し、前記複数の第１信号端子の複数の第１端子接触部と、前記第１シールド部材の複数の第１グランド接触部は、前記配列方向に沿って略等ピッチで配列されており、また、前記複数の第２信号端子の複数の第２端子接触部と、前記第２シールド部材の複数の第２グランド接触部は、前記配列方向に沿って略等ピッチで配列されているコネクタ装置を特徴としている。
【００１２】
上記コネクタ装置において、前記複数の第１信号端子の複数の第１端子接触部と、前記第１シールド部材の複数の第１グランド接触部は、前記配列方向に沿って略等ピッチで配列されており、また、前記複数の第２信号端子の複数の第２端子接触部と、前記第２シールド部材の複数の第２グランド接触部は、前記配列方向に沿って略等ピッチで配列されていてもよい。
【００１３】
また、上記コネクタ装置において、前記複数の第１信号端子は、それぞれの他端に、第１端子固定部を有し、前記複数の第１端子固定部と、前記第１シールド部材の複数の第１グランド固定部は、前記配列方向に沿って略等ピッチで配列されており、また、前記複数の第２信号端子は、それぞれの他端に、第２端子固定部を有し、前記複数の第２端子固定部と、前記第２シールド部材の複数の第２グランド固定部は、前記配列方向に沿って略等ピッチで配列されていてもよい。
【００１４】
更に、上記コネクタ装置において、前記第１シールド部材の複数の第１グランド接触部と、前記第１シールド部材の複数の第１グランド固定部は、前記嵌合方向に沿って対応的に設けられており、また、前記第２シールド部材の複数の第２グランド接触部と、前記第２シールド部材の複数の第２グランド固定部は、前記嵌合方向に沿って対応的に設けられているのが好ましい。
【００１５】
更にまた、上記コネクタ装置において、前記第１グランド接触部同士の間に、２つの前記第１端子接触部が、及び、前記第１グランド固定部同士の間に、２つの前記第１端子固定部が、配置されており、また、前記第２グランド接触部同士の間に、２つの前記第２端子接触部が、及び、前記第２グランド固定部同士の間に、２つの前記第２端子固定部が、配置されていてもよい。
【００１６】
また、上記コネクタ装置において、前記第１部材の第１ハウジングに、前記複数の第１信号端子と前記第１シールド部材が上下段に一つずつ設けられており、また、前記第２部材の第２ハウジングに、前記複数の第２信号端子と前記第２シールド部材が上下段に一つずつ設けられていてもよい。
【００１７】
また、上記コネクタ装置において、上段に含まれる前記第１グランド固定部及び前記第１グランド接触部と下段に含まれる前記第１グランド固定部及び前記第１グランド接触部、又は、上段に含まれる前記第２グランド固定部及び前記第２グランド接触部と下段に含まれる前記第２グランド固定部及び前記第２グランド接触部は、それぞれ、前記配列方向においてずらされていてもよい。
【００１８】
また、上記コネクタ装置において、前記第２部材は、嵌合穴を形成し、前記第１部材は、前記嵌合穴に挿入される突出部を形成してもよい。
【００１９】
また、上記コネクタ装置において、前記嵌合穴は、基板に対して垂直に設けられていてもよい。上記コネクタ装置において、前記嵌合穴は、基板に対して水平に設けられていてもよい。上記コネクタ装置において、前記突出部は、基板に対して垂直に設けられていてもよい。
【００２０】
更に、上記コネクタ装置において、前記突出部は、基板とは独立した状態で設けられていてもよい。この場合、前記第１部材の前記突出部に対して、前記第２部材が２つ固定される。
【００２１】
更に、上記コネクタ装置において、前記第１シールド部材の前記第１グランド接触部の先端は、前記第２部材側に向って略直線状に固定されていてもよい。
【００２２】
また、上記コネクタ装置において、前記第２シールド部材の前記第２グランド接触部の先端は、前記２シールド板との接続部付近に設けた曲部において略１８０°折り曲げられることにより前記第２部材側に向いた状態でバネ性を発揮するようになっていてもよい。
【００２３】
また、上記コネクタ装置において、前記第２シールド部材の前記第２グランド接触部の先端は、前記２シールド板との接続部付近に設けた曲部において略１８０°折り曲げられることにより前記第１部材側に向いた状態でバネ性を発揮するようになっていてもよい。
また、本発明は、第１部材と、前記第１部材と嵌合可能な第２部材と、を有するコネクタ装置において、前記第１部材は、第１ハウジングと、前記第１ハウジングに前記嵌合方向に沿って並列に配列された複数の第１信号端子であって、それぞれの一端に、前記第１部材と前記第２部材の嵌合時に前記第２部材の対応端子の所定部分と接触し得る第１端子接触部を有する、前記複数の第１信号端子と、前記第１ハウジングに設けられた第１シールド部材と、を有し、前記第１シールド部材は、前記複数の第１信号端子の配列方向に沿って幅広に形成され、前記複数の第１信号端子に隣接して配置されて前記複数の第１信号端子を外部から遮蔽する、第１シールド板と、前記第１シールド板から前記嵌合方向に沿って並列に延びて前記第１シールド板の一端を形成し、前記第１部材と前記第２部材の嵌合時に前記第２部材の対応部分と接触し得る、第１グランド接触部と、前記第１シールド板から前記嵌合方向に沿って並列に延びて前記第１シールド板の他端を形成する、複数の第１グランド固定部と、を備え、前記第２部材は、第２ハウジングと、前記第２ハウジングに前記嵌合方向に沿って並列に配列された複数の第２信号端子であって、それぞれの一端に、前記第１部材と前記第２部材の嵌合時に前記第１部材の前記複数の第１信号端子の対応する前記第１端子接触部と接触し得る第２端子接触部を有する、前記複数の第２信号端子と、前記第２ハウジングに設けられた第２シールド部材と、を有し、前記第２シールド部材は、前記複数の第２信号端子の配列方向に沿って幅広に形成され、前記複数の第２信号端子に隣接して配置されて前記複数の第２信号端子を外部から遮蔽する、第２シールド板と、前記第２シールド板から前記嵌合方向に沿って並列に延びて前記第２シールド板の一端を形成し、前記第１部材と前記第２部材の嵌合時に前記第１部材の対応する第１グランド接触部と接触し得る、第２グランド接触部と、前記第２シールド板から前記嵌合方向に沿って並列に延びて前記第２シールド板の他端を形成する、複数の第２グランド固定部と、を有するコネクタ装置を特徴としている。
【図面の簡単な説明】
【００２４】
【図１】本願発明の第一実施形態によるコネクタ装置の使用状態を示す斜視図である。
【図２】プラグコネクタとレセプタクルコネクタの嵌合時における、信号端子やシールド部材の接触状態を示す斜視図である。
【図３】プラグコネクタとレセプタクルコネクタの嵌合時における、信号端子やシールド部材の接触状態を示す横面図である。
【図４】プラグコネクタとレセプタクルコネクタの嵌合時における、レセプタクルコネクタの背面図である。
【図５】図４におけるＡ−Ａ線断面図である。
【図６】図４におけるＢ−Ｂ線断面図である。
【図７】図４におけるＣ−Ｃ線断面図である。
【図８】本構成による放射ノイズの低減効果を説明する図である。
【図９】本発明の第二実施形態によるコネクタ装置を示す図であり、第一実施形態の図１に相当する図である。
【図１０】本発明の第二実施形態によるコネクタ装置を示す図であり、第一実施形態の図２に相当する図である。
【図１１】本発明の第二実施形態によるコネクタ装置を示す図であり、第一実施形態の図３に相当する図である。
【図１２】本発明の第二実施形態によるコネクタ装置を示す図であり、第一実施形態の図４に相当する図である。
【図１３】本発明の第二実施形態によるコネクタ装置を示す図であり、第一実施形態の図５に相当する図である。
【図１４】本発明の第二実施形態によるコネクタ装置を示す図であり、第一実施形態の図６に相当する図である。
【図１５】本発明の第二実施形態によるコネクタ装置を示す図であり、第一実施形態の図７に相当する図である。
【図１６】本発明の第三実施形態によるコネクタ装置を示す図であり、第一実施形態の図１に相当する図である。
【図１７】本発明の第三実施形態によるコネクタ装置を示す図であり、第一実施形態の図１０に相当する図である。
【図１８】本発明の第三実施形態によるコネクタ装置を示す図であり、第一実施形態の図１１に相当する図である。
【図１９】本発明の第三実施形態によるコネクタ装置を示す図であり、第一実施形態の図１２に相当する図である。
【図２０】本発明の第三実施形態によるコネクタ装置を示す図であり、第一実施形態の図１３に相当する図である。
【図２１】本発明の第三実施形態によるコネクタ装置を示す図であり、第一実施形態の図１４に相当する図である。
【図２２】本発明の第三実施形態によるコネクタ装置を示す図であり、第一実施形態の図１５に相当する図である。
【図２３】従来例を示す斜視図である。
【発明を実施するための形態】
【００２５】
以下、添付図面を参照しつつ、本願発明の好ましい実施形態によるコネクタ装置の一例を説明する。
【００２６】
１．全体構造
図１に、本願発明の第一実施形態によるコネクタ装置１０の使用状態を斜視図で示す。このコネクタ装置１０は、プラグコネクタ２０”と、これと嵌合可能なレセプタクルコネクタ６０’を含む。プラグコネクタ２０”とレセプタクルコネクタ６０’は、それぞれ、基板１１、１１’に固定して使用することもできる。
【００２７】
第一実施形態におけるプラグコネクタ２０”は、基板１１に対して垂直に設置される、いわゆるストレートタイプのコネクタ２０”である。これに対して、レセプタクルコネクタ６０’は、基板１１’に対して水平に設置される、いわゆるライトアングルタイプのコネクタである。結果として、これらプラグコネクタ２０”とレセプタクルコネクタ６０’は、垂直嵌合を行うことになる。尚、以下の記載では、特に意味をなすと思われる場合を除き、プラグコネクタ２０やレセプタクルコネクタ６０に付すべき「”」や「’」は省略して説明している。
【００２８】
プラグコネクタ２０は、絶縁性のハウジング３０と、このハウジング３０に固定された信号端子（２２等）、更に、ハウジング３０に固定されたシールド部材（３２等）を含む。シールド部材（３２等）は、信号端子２２等からは電気的にも物理的にも離間されている。ハウジング３０は、両端に設けた支柱２１と、これら支柱２１の間に設けた挿入基板３１を含む。信号端子（２２等）は、挿入基板３１に固定されている。
一方、レセプタクルコネクタ６０は、絶縁性のハウジング７０と、このハウジング７０に固定された信号端子（６２等）、更に、ハウジング７０に固定されたシールド部材（７２等）を含む。シールド部材（７２等）は、信号端子（６２等）からは電気的にも物理的にも離間されている。
【００２９】
プラグコネクタ２０は、支柱２１と挿入基板３１によって突出部を形成する。これに対応して、レセプタクルコネクタ６０には、嵌合方向に窪んだ嵌合穴６１が設けられている。嵌合時には、レセプタクルコネクタ６０に設けた嵌合穴６１に、プラグコネクタ２０のこれら突出部２１、３１が挿入される。挿入時、プラグコネクタ２０の信号端子２２とレセプタクルコネクタ６０の対応する信号端子６２がそれぞれ接続され、これらの端子間で信号伝達が行われる。同時に、プラグコネクタ２０のシールド部材（３２等）とレセプタクルコネクタ６０のシールド部材（７２等）が接続され、グランド接続が行われる。
【００３０】
２．プラグコネクタの信号端子等
図２は、プラグコネクタとレセプタクルコネクタの嵌合時における、信号端子やシールド部材の接触状態を、それら信号端子やシールド部材だけを抜き出して示した斜視図、また、図３は、その横面図、図４は、プラグコネクタとレセプタクルコネクタの嵌合時における、レセプタクルコネクタの背面図、更に、図５乃至図７は、図４に示した背面図におけるＡ−Ａ線、Ｂ−Ｂ線、Ｃ−Ｃ線断面図である。
【００３１】
プラグコネクタの信号端子には、上段の信号端子２２と、下段の信号端子２６が含まれる。これら上段の信号端子２２と下段の信号端子２６は、挿入基板（図１に示す挿入基板３１）を介して互いに分離されており、上段及び下段のそれぞれにおいて、嵌合方向（図示矢印「ア」方向）に沿って並列に配列されている。
【００３２】
上段の信号端子２２の基部４８の一端（先端）、或いは、下段の信号端子２６の基部５８の一端（先端）は、それぞれ、プラグコネクタ２０とレセプタクルコネクタ６０の嵌合時にレセプタクルコネクタ６０の対応端子の所定部分と接触し得る、端子接触部２４、２８を形成する。これらの端子接触部２４、２８は、基部４８、５８を含め、レセプタクルコネクタ６０側に向って略直線状に延びており、それらの全体が挿入基板（図１に示す挿入基板３１）に固定されている。
一方、基部４８、５８の他端は、基板１１に固定される端子固定部２３、２７を形成する。これらの端子固定部２３、２７は、基部４８、５８等に対して垂直上方又は下方に折り曲げられた状態で基板１１に固定される。
尚、基部４８、５８には、ハウジング３０に固定するための圧入突起４８Ａ、５８Ａが設けられていてもよい。
【００３３】
プラグコネクタ２０のシールド部材には、一体的に形成された、上段のシールド板３２、複数のグランド接触部３４、及び、複数のグランド固定部３３が含まれる。更に、一体的に形成された、下段のシールド板３６、複数のグランド接触部３８、及び、複数のグランド固定部３７をも含む。信号端子と同様に、上段のシールド板３２等と下段のシールド板３６等は、挿入基板（図１に示す挿入基板３１）を介して互いに分離されている。
【００３４】
上段及び下段のそれぞれに設けたシールド板３２、３６は各々、シールド部材の基部を成し、複数の信号端子２２、２６の配列方向（図示矢印「イ」方向）に沿って幅広に形成されている。また、これら上段及び下段のシールド板３２、３６は、複数の信号端子２２、２６に隣接してそれらと略並行に配置され、複数の信号端子２２、２６の少なくとも一部を外部から遮蔽する。このような構成により、プラグコネクタ２０単独でも、クロストーク等の影響を効果的に防止することができるようになっている。尚、遮蔽をより確実にするため、シールド板３２、３６は、図示実施形態のように、基板付近まで設けられているのが好ましい。
【００３５】
上段及び下段のそれぞれに設けた複数のグランド接触部３４、３８は各々、シールド板３２、３６の一端を形成し、配列方向（図示矢印「イ」方向）に沿って、信号端子２２等と同幅で形成されている。これらのグランド接触部３４、３８は、挿入基板（図１の挿入基板３１）に固定されており、シールド板３２、３６から嵌合方向に沿って並列に、且つ、シールド板３２、３６との境目付近に設けた段部４４、４４’を介して、レセプタクルコネクタ６０側に向って略直線状に延びている。グランド接触部３４、３８は、プラグコネクタ２０とレセプタクルコネクタ６０の嵌合時には、レセプタクルコネクタ６０の対応部分と接触し得る。
一方、上段及び下段のそれぞれに設けた複数のグランド固定部３３、３７は各々、シールド板３２、３６の他端を形成し、配列方向（図示矢印「イ」方向）に沿って、信号端子２２やグランド接触部３４等と同幅で形成されている。また、これらのグランド固定部３３、３７は、シールド板３２、３６から嵌合方向に沿って並列に、且つ、シールド板３２、３６に対して垂直上方又は下方に折り曲げられた状態で、基板１１に固定されている。
【００３６】
グランド接触部３４（３８）とグランド固定部３３（３７）は、嵌合方向に沿って対応的に設けられている点に注意していただきたい。例えば、図２において、配列方向（図示矢印「イ」方向）において最も手前に位置するグランド接触部３４と、最も手前に位置するグランド固定部３３は、嵌合方向（図示矢印「ア」方向）に沿って同一直線上に配置されている。また、図２において、配列方向の手前から３番目に位置するグランド接触部３８と、同図において手前から３番目に位置するグランド固定部３７は、嵌合方向（図示矢印「ア」方向）に沿って同一直線上に配置されている。
【００３７】
更に、信号端子２２の複数の端子接触部２４とシールド部材の複数のグランド接触部３４は、配列方向に沿って略一直線状に略等ピッチで、信号端子２６の複数の端子接触部２８とシールド部材の複数のグランド接触部３８は、配列方向に沿って略一直線状に略等ピッチで、それぞれ配列されている点に注意していただきたい。同様に、信号端子２２の複数の端子固定部２３とシールド部材の複数のグランド固定部３３は、配列方向に沿って略一直線状に略等ピッチで、信号端子２６の複数の端子固定部２７とシールド部材の複数のグランド固定部３７は、配列方向に沿って略一直線状に略等ピッチで、それぞれ配列されている。このような配列とすることにより、基板への固定も容易となる。
【００３８】
クロストークを効果的に防止するため、グランド接触部３４同士の間に、２つの端子接触部２４が、また、グランド接触部３８同士の間に、２つの端子接触部２８が、それぞれ配置されている。同様に、グランド固定部３３同士の間に、２つの端子固定部２３が、グランド固定部３７同士の間に、２つの端子固定部２７が、それぞれ配置されている。結果として、端子配列は、例えば、ＧＳＳＧＳＳＧＳＳＧ．．．（ここで、「Ｓ」は信号端子、「Ｇ」はグランド端子を示す）となる。このように、信号端子とグランド端子の比を２：１とし、また、多点シールド接触構造を採用することにより、シールド接点箇所と基板への接続ポイントを増やし、シールド効果が向上すると共に低インダクタンス化を図ることができる。
【００３９】
また、上段に含まれるグランド固定部３３及びグランド接触部３４と、下段に含まれるグランド固定部３７及びグランド接触部３８は、配列方向（図示矢印「イ」方向）においてずらされている点に注意していただきたい。例えば、上段に含まれるグランド固定部３３及びグランド接触部３４は、図２において、配列方向（図示矢印「イ」方向）において最も手前に位置するのに対し、下段に含まれるグランド固定部３７及びグランド接触部３８は、手前から３番目に配置されている。例えば、上段の端子配列が、ＧＳＳＧＳＳＧＳＳＧ．．．であるとすれば、下段の端子配列は、ＳＳＧＳＳＧＳＳＧＳＳＧ．．．である。このような配列とすることにより、グランド同士を引き離し、クロストークをより効果的に低減するものとなっている。
【００４０】
３．レセプタクルコネクタの信号端子等
プラグコネクタの信号端子に対応して、レセプタクルコネクタの信号端子にも、上段の信号端子６２と、下段の信号端子６６が含まれる。これら上段の信号端子６２と下段の信号端子６６は、嵌合穴（図１の嵌合穴６１）を介して互いに分離されており、上段及び下段のそれぞれにおいて、嵌合方向（図示矢印「ア」方向）に沿って並列に配列されている。
【００４１】
上段の信号端子６２の基部４９は、中間４９Ｂ付近で９０度折り曲げられ、水平部分と垂直部分に分離されている。
水平部分の一端（先端）は、端子接触部６４を形成する。端子接触部６４は、プラグコネクタ２０とレセプタクルコネクタ６０の嵌合時に、プラグコネクタ２０の信号端子２２の対応する端子接触部２４と接触する。これらの端子接触部６４は、基部４９の水平部分を含め、レセプタクルコネクタ６０側に向って略直線状に延びており、信号端子２２との接点６５付近を除いて、挿入基板（図１の挿入基板３１）に固定されている。尚、基部４９には、ハウジング７０に固定するための圧入突起４９Ａが設けられていてもよい。プラグコネクタ２０とレセプタクルコネクタ６０の嵌合及び端子接触部２４，６４の接触を容易にするため、接点６５付近は、下方に向って多少折り曲げられている。
一方、垂直部分の一端（他端又は後端）は、基板１１に固定される端子固定部６３を形成する。端子固定部６３は、基部４９の垂直部分に対して水平に折り曲げられた状態で基板１１に固定される。
【００４２】
下段の信号端子６６の一端（先端）は、端子接触部６８を形成する。端子接触部６８は、プラグコネクタ２０とレセプタクルコネクタ６０の嵌合時に、プラグコネクタ２０の信号端子２６の対応する端子接触部２８と接触する。端子接触部６８の先端部は、基部５９との接続部付近に設けた曲部５６において略１８０°折り曲げられることにより、プラグコネクタ２０側に向いた状態でバネ性を発揮する。尚、基部５９には、ハウジング７０に固定するための圧入突起５９Ａが設けられていてもよい。プラグコネクタ２０とレセプタクルコネクタ６０の嵌合及び端子接触部２８，６８の接触を容易にするため、接点６９付近は、上方に向って多少折り曲げられている。
一方、下段の信号端子６６の他端は、基板１１に固定される端子固定部６７を形成する。この端子固定部６７は、段部５４を介し、基部５９と水平に延びた状態で基板１１に固定される。
【００４３】
レセプタクルコネクタ６０のシールド部材には、一体的に形成された、上段のシールド板７２、複数のグランド接触部７４、及び、複数のグランド固定部７３が含まれる。更に、一体的に形成された、下段のシールド板７６、グランド接触部７８、及び、複数のグランド固定部７７をも含む。信号端子と同様に、上段のシールド板７２等と、下段のシールド板７６等は、嵌合穴（図１に示す嵌合穴６１）を介して互いに分離されている。
【００４４】
上段のシールド板７２は、該シールド部の基部を成し、中間付近で９０度折り曲げられるとともに、複数の信号端子６２の配列方向（図示矢印「イ」方向）に沿って幅広に形成されている。また、上段のシールド板７２は、複数の信号端子６２に隣接してそれらと略並行に配置され、複数の信号端子６２の一部を外部から遮蔽する。このような構成により、レセプタクルコネクタ６０単独でも、クロストーク等の影響を効果的に防止することができるようになっている。尚、遮蔽をより確実にするため、シールド板７２は、図示実施形態のように、基板付近まで設けられているのが好ましい。
【００４５】
上段のグランド接触部７４は、シールド板７２の一端を形成する。グランド接触部７４は、配列方向（図示矢印「イ」方向）に沿って、信号端子６２等と同幅で形成されている。また、グランド接触部７４の先端は、シールド板７２から嵌合方向に沿って並列に、且つ、シールド部７２との接続部付近に設けた曲部４２において略１８０°折り曲げられることにより、レセプタクルコネクタ６０側に向いた状態でバネ性を発揮する。グランド接触部７４は、プラグコネクタ２０とレセプタクルコネクタ６０の嵌合時には、プラグコネクタ２０の対応部分、即ち、プラグコネクタ２０の対応するグランド接触部３４と接触する。プラグコネクタ２０とレセプタクルコネクタ６０の嵌合及びグランド接触部３４，７４の接触を容易にするため、接点７５付近は、下方に向って多少折り曲げられている。
【００４６】
一方、上段のグランド固定部７３は、シールド板７２の他端を形成する。グランド固定部７３は、配列方向（図示矢印「イ」方向）に沿って、信号端子６２やグランド接触部７４等と同幅で形成されている。また、グランド固定部７３は、シールド板７２から嵌合方向に沿って並列に、基板１１に固定される。
【００４７】
下段のシールド板７６は、シールド部材の基部を成し、複数の信号端子６６の配列方向（図示矢印「イ」方向）に沿って幅広に形成されている。また、下段のシールド板７６は、複数の信号端子６６に隣接してそれらと略並行に配置され、複数の信号端子６６の一部を外部から遮蔽する。このような構成により、レセプタクルコネクタ６０単独でも、クロストーク等の影響を効果的に防止することができる。
【００４８】
下段のグランド接触部７８は、シールド板７６の一端を形成する。グランド接触部７８は、配列方向（図示矢印「イ」方向）に沿って、信号端子６６等と同幅で形成されている。また、グランド接触部７８は、シールド板７６から嵌合方向に沿って並列に、且つ、端子接触部７８の先端部は、シールド板７６との接続部付近に設けた曲部４６において略１８０°折り曲げられることにより、プラグコネクタ２０側に向いた状態でバネ性を発揮する。グランド接触部７８は、プラグコネクタ２０とレセプタクルコネクタ６０の嵌合時には、プラグコネクタ２０の対応部分、即ち、プラグコネクタ２０の対応するグランド接触部３８と接触する。プラグコネクタ２０とレセプタクルコネクタ６０の嵌合及びグランド接触部３８，７８の接触を容易にするため、接点７９付近は、上方に向って多少折り曲げられている。
【００４９】
一方、下段のグランド固定部７７は、シールド板７６の他端を形成する。グランド固定部７７は、配列方向（図示矢印「イ」方向）に沿って、信号端子６６やグランド接触部７８等と同幅で形成されている。また、グランド固定部７７は、シールド板７６から嵌合方向に沿って並列に、基板１１に固定される。
【００５０】
尚、グランド接触部７４（７８）と、グランド固定部７３（７７）は、嵌合方向に沿って対応的に設けられている点に注意していただきたい。例えば、図２において、配列方向（図示矢印「イ」方向）において最も手前に位置するグランド接触部７４と、最も手前に位置するグランド固定部７３は、嵌合方向（図示矢印「ア」方向）に沿って略一直線上に配置されている。また、図２において、配列方向の手前から３番目に位置するグランド接触部７８と、同図において手前から３番目に位置するグランド固定部７７は、嵌合方向（図示矢印「ア」方向）に沿って略一直線上に配置されている。
【００５１】
更に、信号端子６２の複数の端子接触部６４とシールド部材の複数のグランド接触部７４は、配列方向に沿って略一直線状に略等ピッチで、信号端子６６の複数の端子接触部６８とシールド部材の複数のグランド接触部７８は、配列方向に沿って略一直線状に略等ピッチで、それぞれ配列されている点に注意していただきたい。同様に、信号端子６２の複数の端子固定部６３とシールド部材の複数のグランド固定部７３は、配列方向に沿って略一直線状に略等ピッチで、信号端子６６の複数の端子固定部６７とシールド部材の複数のグランド固定部７７は、配列方向に沿って略一直線状に略等ピッチで、それぞれ配列されている。このような配列とすることにより、基板への固定も容易となる。
【００５２】
クロストークを効果的に防止するため、グランド接触部７４同士の間に、２つの端子接触部６４が、また、グランド接触部７８同士の間に、２つの端子接触部６８が、それぞれ配置されている。同様に、グランド固定部７３同士の間に、２つの端子固定部６３が、グランド固定部７７同士の間に、２つの端子固定部６７が、それぞれ配置されている。結果として、端子配列は、例えば、ＧＳＳＧＳＳＧＳＳＧ．．．（ここで、「Ｓ」は信号端子、「Ｇ」はグランド端子を示す）となる。このように、信号端子とグランド端子の比を２：１とし、また、多点シールド接触構造を採用することにより、シールド接点箇所と基板への接続ポイントを増やし、低インダクタンス化を図ることができる。
【００５３】
また、上段に含まれるグランド固定部７３及びグランド接触部７４と、下段に含まれるグランド固定部７３及びグランド接触部７８は、配列方向（図示矢印「イ」方向）においてずらされている点に注意していただきたい。例えば、上段に含まれるグランド固定部７３及びグランド接触部７４は、図２において、配列方向（図示矢印「イ」方向）において最も手前に配置されているのに対し、下段に含まれるグランド固定部７７及び第７グランド接触部７８は、手前から３番目に配置されている。例えば、上段の端子配列が、ＧＳＳＧＳＳＧＳＳＧ．．．であるとすれば、下段の端子配列は、ＳＳＧＳＳＧＳＳＧＳＳＧ．．．である。このような配列とすることにより、グランド同士を引き離し、クロストークをより効果的に低減するものとなっている。
【００５４】
４．放射ノイズの低減
図８を参照して、本構成によって得られる１つの効果を説明する。
図８の（ａ）は、図２におけるレセプタクルコネクタ６０側の下段端部付近の部分拡大図を、（ｂ）は、図２におけるプラグコネクタ２０側の上段端部付近の部分拡大図を、それぞれ示す。
よく知られているように、信号電流が流れれば、これに対応する帰還電流（リターン電流）が流れる。例えば、（ａ）に示すように端子固定部６３ａ、６３ｂや信号端子６２を通じて、更に、信号端子６２と信号端子２２の接触（６５）を通じて、（ｂ）に示すように、信号端子２２や端子固定部２３ａ、２３ｂを通じて、図示矢印「カ」に示す信号が流れた場合、これとは逆方向に、（ｂ）に示すように、グランド固定部３３ａ、３３ｂやシールド板３２を通じて、更に、グランド接触部３４とグランド接触部７４の接触（７５）を通じて、（ａ）に示すように、シールド板７２やグランド固定部７３ａ、７３ｂを通じて、図示矢印「キ」に示すような帰還電流が流れる。この帰還電流は、信号電流との間に電流ループを形成し、この電流ループは放射ノイズを生じさせる要因となる。従って、電流ループは可能な限り小さくするのが好ましい。帰還電流は、信号「カ」に近接した位置に流れることから、電流ループを小さくするには、信号「カ」にできるだけ接近させた状態で、電流経路を設けることが必要である。
この点、本発明の構成によれば、基板付近まで設けられているシールド板３２（３６）、７２（７６）が、配列方向（図示矢印「イ」方向）に沿って幅広に、且つ、それらに隣接してそれらと略並行に配置されていることから、このような電流ループを小さくすることができる。このような本発明の構成によれば、例えば、信号電流「カ」に対応する帰還電流は、シールド板３２、７２において、「カ」と略同じ経路を通じて帰還し、シールド板７２から帰還電流が取り出されるときにのみ、「カ」の経路から離れたグランド固定部７３ａ、７３ｂを通じて外部に取り出されることになる。このような構成により、放射ノイズを小さくすることができる。
【００５５】
５．第二実施形態
図９乃至図１５に、本発明の第二実施形態によるコネクタ装置１０Ａを示す。ここで図９は、第一実施形態の図１に、図１０乃至図１５は、第一実施形態の図２乃至図７に、それぞれ相当する。尚、第一実施形態と同様の部材には、同様の参照番号を付している。
【００５６】
第一実施形態との相違は、レセプタクルコネクタの向きのみである。プラグコネクタについては、第一実施形態におけるプラグコネクタ２０”と同様のものを用いた。この第二実施形態のレセプタクルコネクタには、第一実施形態におけるプラグコネクタ２０”と同様に、基板に対して垂直に設置される、いわゆるストレートタイプを用いている。このレセプタクルコネクタ６０”の嵌合穴６１は、基板１１に対して垂直に設けられている。結果的に、これらプラグコネクタ２０”とレセプタクルコネクタ６０”との間では、スタッキング嵌合が行われる。
【００５７】
嵌合向きに相違により、第二実施形態における端子、特に、レセプタクル側の端子形状は、第一実施形態における端子とは多少相違するものとなっている。但し、その基本構成は、第一実施形態におけるものと全く同じである。故に、詳細な説明はここでは省略する。
【００５８】
６．第三実施形態
図１６乃至図２２に、本発明の第三実施形態によるコネクタ装置１０Ｂを示す。ここで図１６は、第一実施形態の図１に、図１７乃至図２２は、第一実施形態の図２乃至図７に、それぞれ相当する。尚、第一実施形態や第二実施形態と同様の部材には、同様の参照番号を付している。
【００５９】
第三実施形態の構成によれば、１つのプラグコネクタに対して、２つのレセプタクルコネクタを接続することができる。尚、レセプタクル側については、第一実施形態における構成と全く同じである。プラグ側の構成は、第二実施形態や第三実施形態における嵌合側の構成を左右両側に設けたものと考えればよい。この構成では、プラグ側に関して、基板は特に設けられていない。図１６に示すように、このプラグコネクタ２０’には、突出部２１、３１が左右の両側に設けられており、この結果、プラグコネクタ２０’の両側に、レセプタクルコネクタ６０を固定することができる。
【００６０】
嵌合向きに相違により、第二実施形態における端子、特に、レセプタクル側の端子形状は、第一実施形態における端子とは多少相違するものとなっている。但し、その基本構成は、第一実施形態におけるものと全く同じである。
【００６１】
７．まとめ
明らかなように、プラグコネクタ２０やレセプタクルコネクタ６０に設けたシールド部材は、シールド機能を発揮する他、グランド端子としても機能する。このように、シールドとグランド（グランド端子）を一体構造とすることにより、本構成では、グランド機能を強化し、また、グランド機能を安定化させ共振を減少させるものとなっている。尚、一般に、グランド端子をこのようにシールドとして機能させた場合は、信号間にグランド端子を配置することができなくなるが、本構成では、グランド端子として使用するグランド固定部を信号端子間にグランド端子を延出させる構造として、この問題を解決している。
【００６２】
更に、本構成では、プラグコネクタ２０に設けたシールド板３２（３６）と、レセプタクルコネクタ６０に設けたシールド板７２（７６）の双方が、嵌合方向に沿って、信号端子２２（２６）や信号端子６２（６６）を外部から遮蔽するものとなる。故に、嵌合時には、プラグコネクタ２０及びレセプタクルコネクタ６０の双方によって、信号端子が外部から遮蔽されることとなり、プラグコネクタ２０やレセプタクルコネクタ６０の一方のみを遮蔽する従来の構成に比して、より効果的に、クロストークの低減等を図ることができる。
【符号の説明】
【００６３】
１０  コネクタ装置
１１  基板
２０  プラグコネクタ
２２  信号端子
２６  信号端子
３０  ハウジング
３２  シールド板
３３  グランド固定部
３４  グランド接触部
３６  シールド板
３７  グランド固定部
３８  グランド接触部
６０  レセプタクルコネクタ
６２  信号端子
６６  信号端子
７０  ハウジング
７２  シールド板
７３  グランド固定部
７４  グランド接触部
７６  シールド板
７７  グランド固定部
７８  グランド接触部
【図１】
2012054173.tif 000003
【図２】
2012054173.tif 000004
【図３】
2012054173.tif 000005
【図４】
2012054173.tif 000006
【図５】
2012054173.tif 000007
【図６】
2012054173.tif 000008
【図７】
2012054173.tif 000009
【図８】
2012054173.tif 000010
【図９】
2012054173.tif 000011
【図１０】
2012054173.tif 000012
【図１１】
2012054173.tif 000013
【図１２】
2012054173.tif 000014
【図１３】
2012054173.tif 000015
【図１４】
2012054173.tif 000016
【図１５】
2012054173.tif 000017
【図１６】
2012054173.tif 000018
【図１７】
2012054173.tif 000019
【図１８】
2012054173.tif 000020
【図１９】
2012054173.tif 000021
【図２０】
2012054173.tif 000022
【図２１】
2012054173.tif 000023
【図２２】
2012054173.tif 000024
【図２３】
2012054173.tif 000025